(57)【要約】【課題】灌水の手間が省け、かつ、土壌を適切な保水状態に維持することができるハンギングバスケットを提供する。【解決手段】ハンギングバスケット１は、スタンドＤへの係止部２５を有するバスケット本体１１と、該本体１１内を上下に区画する着脱可能な仕切り部材１２と、該仕切り部材１２の下方で、前記バスケット本体１１の底面部２４上に載置される貯水タンク１３と、該仕切り部材１２上に載置されて、土壌Ｂ及び草花を保持する容器１４と、前記貯水タンク１３から毛細管現象を利用して前記容器１４内の土壌Ｂに灌水する灌水部材１５とを有する。【選択図】図２
2007252308.tif 000002
【特許請求の範囲】
【請求項１】
園芸用のハンギングバスケットであって、
支持体への係止部を有するバスケット本体と、
該本体内を上下に区画する着脱可能な仕切り部材と、
該仕切り部材の下方で、前記バスケット本体の底面上に載置される貯水タンクと、
該仕切り部材上に載置されて、土壌及び草花を保持する容器と、
前記貯水タンクから毛細管現象を利用して前記容器内の土壌に灌水する灌水部材とを有していることを特徴とするハンギングバスケット。
【請求項２】
前記請求項１に記載のハンギングバスケットであって、
前記バスケット本体は、ワイヤを組み付けてかご状に形成されていることを特徴とするハンギングバスケット。
【請求項３】
前記請求項２に記載のハンギングバスケットであって、
前記バスケット本体の下部前面に、前記貯水タンクの少なくとも前面を覆う装飾部材が着脱可能に備えられていることを特徴とするハンギングバスケット。
【請求項４】
前記請求項２または請求項３に記載のハンギングバスケットであって、
前記バスケット本体の上部前面に、前記かご状構造を利用して装飾部品が着脱可能に備えられていることを特徴とするハンギングバスケット。
【請求項５】
前記請求項１から請求項４のいずれかに記載のハンギングバスケットであって、
前記容器は、布袋で形成されていることを特徴とするハンギングバスケット。
【発明の詳細な説明】
【技術分野】
【０００１】
本発明は、園芸用のハンギングバスケットに関し、園芸用具の技術分野に属する。
【背景技術】
【０００２】
従来、園芸用にハンギングバスケットが用いられることがある。このハンギングバスケットは、一般に、隙間を有するバスケット内に土壌を保持し、草花を土壌に植え付けて、ときには草花がバスケットの全面を覆ったり隙間からこぼれ出るまでに育成、開花させて観賞するものであり、フェンス、壁面、スタンド、ベランダの手摺等に掛けられたり吊り下げられたりしている。
【０００３】
その場合、当然のこととして草花に対する適切な灌水を確保する必要がある。通常は草花の上方から灌水すればよいが、シクラメンのように花びらや葉に直接灌水すると枯れる草花があり、これに対処するものとして、特許文献１に開示の技術がある。
【０００４】
すなわち、この特許文献１には、ハンギングバスケット用の灌水器具が開示されている。この灌水器具は、貯水容器と、この貯水容器から延びる給液管と、この給液管の先端に取り付けられた給液ノズルとを有している。これによれば、手で貯水容器に圧力を加えて給液することにより、給液ノズルを介してハンギングバスケットに対して側部または下部からの灌水が可能となり、花びらや葉に直接灌水することなく土壌への灌水が行なわれることとなる。
【０００５】
【特許文献１】実用新案登録第３１０９７８５号公報
【発明の開示】
【発明が解決しようとする課題】
【０００６】
ところで、前述した灌水器具を用いた方法では、こまめに手で貯水容器に圧力を加えて給液するため手間が掛かり、また、灌水に過不足があって土壌を適切な保水状態に維持するのは容易でないという問題がある。
【０００７】
そこで、本発明は、灌水の手間が省け、かつ、土壌を適切な保水状態に維持することができるハンギングバスケットの提供を課題とする。
【課題を解決するための手段】
【０００８】
前記課題を解決するため、本発明は次のように構成したことを特徴とする。
【０００９】
まず、請求項１に記載の発明は、園芸用のハンギングバスケットであって、支持体への係止部を有するバスケット本体と、該本体内を上下に区画する着脱可能な仕切り部材と、該仕切り部材の下方で、前記バスケット本体の底面上に載置される貯水タンクと、該仕切り部材上に載置されて、土壌及び草花を保持する容器と、前記貯水タンクから毛細管現象を利用して前記容器内の土壌に灌水する灌水部材とを有していることを特徴とする。
【００１０】
次に、請求項２に記載の発明は、前記請求項１に記載のハンギングバスケットであって、前記バスケット本体は、ワイヤを組み付けてかご状に形成されていることを特徴とする。
【００１１】
また、請求項３に記載の発明は、前記請求項２に記載のハンギングバスケットであって、前記バスケット本体の下部前面に、前記貯水タンクの少なくとも前面を覆う装飾部材が着脱可能に備えられていることを特徴とする。
【００１２】
また、請求項４に記載の発明は、前記請求項２または請求項３に記載のハンギングバスケットであって、前記バスケット本体の上部前面に、前記かご状構造を利用して装飾部品が着脱可能に備えられていることを特徴とする。
【００１３】
そして、請求項５に記載の発明は、前記請求項１から請求項４のいずれかに記載のハンギングバスケットであって、前記容器は、布袋で形成されていることを特徴とする。
【発明の効果】
【００１４】
まず、請求項１に記載の発明によれば、灌水部材を介して下方の貯水タンクから上方の容器内の土壌に灌水するので、花びらや葉に直接灌水しなくて済む。また、バスケット本体内を上下に区画する仕切り部材を本体に着脱可能に設けたので、季節、用途、好み等に応じて容器や貯水タンクの交換が容易となる。その上で、灌水部材により毛細管現象を利用して過不足なく灌水するので、灌水の手間が省け、かつ、土壌を適切な保水状態に維持することができる。
【００１５】
次に、請求項２に記載の発明によれば、バスケット本体はワイヤを用いてかご状に形成されているので、軽量化を図ることができ、かつ、網目を介して草花が露出したりこぼれ出たりするようになり、観賞用として見栄えが向上する。
【００１６】
また、請求項３に記載の発明によれば、かご状のバスケット本体から外観上露出する貯水タンクを装飾部材で覆うことができ、見栄えが一層向上する。その場合、装飾部材は着脱可能とされているので、季節、用途、好み等に応じて自在に交換することができる。
【００１７】
また、請求項４に記載の発明によれば、草花のボリュームが少ない段階では、バスケット本体に装着された装飾部品はその装飾機能を発揮し、草花のボリュームが多くなり、これら草花で装飾部品が隠蔽される段階では、バスケット本体から装飾部品を取り外し、この装飾部品を別のハンギングバスケットに流用可能となる。
【００１８】
そして、請求項５に記載の発明によれば、土壌及び草花を保持する容器は布袋であるので、軽量化を効果的に図ることができ、ハンギングバスケットを構成するのに好適となる。さらに、バスケット本体形状に合わせて容器の形状を適合させるのが容易となる。
【発明を実施するための最良の形態】
【００１９】
本発明の実施の形態について説明する。
【００２０】
図１及び図２に示すように、本実施の形態に係るハンギングバスケット１は、かご状に形成されたバスケット本体１１と、該バスケット本体１１内を上下に区画する仕切り部材１２と、該仕切り部材１２の下方で水Ａを貯留する貯水タンク１３と、該仕切り部材１２の上方で土壌Ｂ及び草花Ｃを保持する容器１４と、前記貯水タンク１３から毛細管現象を利用して前記容器１４内の土壌Ｂに灌水する左右一対の灌水部材（図２に向う側のみ示す）１５,１５と、該貯水タンク１３の前面を覆う装飾部材１６と、該貯水タンク１３に水を補給するための給水パイプ１７とを有している。そして、このハンギングバスケット１は、バスケット本体１１を介してスタンドＤに掛けられるようになっている。
【００２１】
図２及び図３に示すように、バスケット本体１１は、下部に貯水タンク１３及び装飾部材１６を、上部に容器１４を収容可能に、鉄線をかご状に組み付けたもので、フラットな背面部２１、該背面部２１の左右両側から前方に延びる側面部２２，２２、略逆Ｕ字状に折曲されて上下方向に延びる前面部２３，２３、及び後述する仕切り部材１２に類似した略半円形状の底面部２４により、内方に上部ほど広くなる断面略半円形状の空間が形成されている。
【００２２】
また、背面部２１には、スタンドＤのフックＤ′に掛けるため、上部が三角形状に曲折されると共に下部が底面部２４まで延びる鉄線でなる係止部２５が付加されている。さらに、上下方向中間より若干下方の位置に、仕切り部材１２を装着するための円弧状の鉄線でなる取付部材２６が付加されている。そして、左右両側面部２２，２２の上部に、外方に向けて略Ｌ字状の係合片２７，２７が設けられており、該係合片２７，２７を介し、バスケット本体１１内に植え付けられた草花のいたずらな垂れ下がりを規制するための円弧状の弾性を有する鉄線でなる固定部材２８を着脱可能に装着することができるようになっている。なお、このバスケット本体１１は、鉄線を接合して組み付け後にポリコーティング塗料で塗装されている。
【００２３】
図４に示すように、仕切り部材１２は、鉄線を平面視略半円形状となるように組み付けたもので、両端部に下方に折曲された係合部３１ａ，３１ａを有する直線部材３１と、該直線部材３１から略放射状に前方に延びる長短３本の直線部材３２，３３，３３と、これら直線部材３２，３２，３３を連結する大小２本の円弧部材３４，３５とで構成されており、長い方の直線部材３２の先端部は、下方に折曲されて係合部３２ａとされている。そして、図３に示すように、仕切り部材１２は、前記係合部３１ａ，３１ａ，３２ａと前記取付部材２６との係合を介してバスケット本体１１に着脱可能に装着され、上方に容器１４が載置されることとなる。
【００２４】
図５に示すように、貯水タンク１３は、上方に開口部１３ａを有する有底のもので、内方が上部ほど広くなる断面略半円形状となるように、ポリエチレン樹脂で形成されている。また、装飾部材１６は、前記貯水タンク１３の前面を着脱可能に覆うもので、断面円弧状となるように、着色や図柄等で装飾されたポリエチレン樹脂で形成されている。
【００２５】
図６に示すように、容器１４は、上方に開口部１４ａを有する有底のもので、内方が上部ほど広くなる断面略半円形状となるように、強度、耐久性、通水性、通気性等に優れるポリエステル樹脂製の不織布で形成されている。また、前面には、前記開口部１４ａから下方に延びる複数の切り込み１４ｂ…１４ｂが設けられている。
【００２６】
そして、図２に示すように、灌水部材１５は、貯水タンク１３と容器１４とに亘って備えられており、貯水タンク１３の水Ａを吸い上げ可能に毛細管現象を発現する繊維束で形成されている。
【００２７】
ここで、このハンギングバスケット１の使用方法について説明すると、まず、容器１４の底面の左右２箇所に切り込みを設け、これら切り込みに灌水部材１５，１５を挿入しておく。そして、貯水タンク１３をバスケット本体１１の下部に載置すると共にこの貯水タンク１３の前方に装飾部材１６を装着し、また、バスケット本体１１の背面側から貯水タンク１３に給水パイプ１７を差し込んでおく。
【００２８】
次いで、バスケット本体１１に仕切り部材１２を装着した上で、この仕切り部材１２上に容器１４を載置する。そして、容器１４内に土壌Ｂを敷設したのち、軽く根をほぐした草花Ｃの苗を植え込む。その場合、草花Ｃの先端を容器１４の切り込み１４ｂ…１４ｂから適宜突出させる。また、灌水部材１５，１５の上端部は、土壌Ｂの深さ方向中央に位置するのが望ましい。
【００２９】
次いで、バスケット本体１１上部に固定部材２８を装着し、給水パイプ１７から貯水タンク１３に給水したのち、このハンギングバスケット１をスタンドＤに掛ける。なお、背面側から見て貯水タンク１３の水が少なくなっていれば、給水パイプ１７から貯水タンク１３に給水すればよい。なお、ここで説明した手順は一例であって、適宜変更可能であることは言うまでもない。
【００３０】
以上のように構成したことにより、灌水部材１５，１５を介して下方の貯水タンク１３から上方の容器１４内の土壌Ｂに灌水するので、花びらや葉に直接灌水しなくて済む。また、バスケット本体１１内を上下に区画する仕切り部材１２を本体１１に着脱可能に設けたので、季節、用途、好み等に応じて容器１４や貯水タンク１３の交換が容易となる。その上で、灌水部材１５，１５により毛細管現象を利用して過不足なく灌水するので、灌水の手間が省け、かつ、土壌Ｂを適切な保水状態に維持することができる。
【００３１】
また、バスケット本体１１は鉄線を用いてかご状に形成されているので、軽量化を図ることができ、かつ、網目を介して草花Ｃが露出したりこぼれ出たりするようになり、観賞用として見栄えが向上する。
【００３２】
また、かご状のバスケット本体１１から外観上露出する貯水タンク１３を装飾部材１６で覆うことができ、見栄えが一層向上する。その場合、装飾部材１６は着脱可能とされているので、季節、用途、好み等に応じて自在に交換することができる。
【００３３】
そして、土壌Ｂ及び草花Ｃを保持する容器１４は布袋であるので、軽量化を効果的に図ることができ、ハンギングバスケット１を構成するのに好適となる。さらに、バスケット本体１１形状に合わせて容器１４の形状を適合させるのが容易となる。
【００３４】
さらに、図７及び図８に示すように、バスケット本体１１に装飾部品４１を装着してもよい。この装飾部品４１はポリエチレン樹脂製で、前面の例えば犬がデザインされた本体部４２と、背面の断面略Ｃ字状の取付部４３とを有しており、取付部４３を介してバスケット本体１１における上部が逆Ｕ字状に折曲された前面部２３に上方から挿入係合させることにより、バスケット本体１１に着脱自在に装着される。
【００３５】
また、前記前面部２３を下方ほど拡開するように形成しておけば、前記装飾部品４１を上方から装着し、該装飾部品４１をバスケット本体１１の上下方向途中に位置させることができる。
【００３６】
また、図９及び図１０に示すように、バスケット本体１１Ａの前面部２３Ａが上下方向に延びる直線状の鉄線で形成されている場合には、装飾部品４１Ａを、前記同様の本体４２と、前記前面部２３Ａを抱きかかえる形状の取付部４３Ａとで構成してもよい。
【００３７】
なお、装飾部品４１，４１Ａの本体部４２のデザインとしては、季節、設置環境、用途、好み等に応じて、前述した犬のような動物の他に、人形、植物等が適宜選択される。
【００３８】
以上のように構成したことにより、草花Ｃのボリュームが少ない段階では、バスケット本体１１，１１Ａに装着された装飾部品４１，４１Ａはその装飾機能を発揮し、草花Ｃのボリュームが多くなり、これら草花Ｃで装飾部品４１，４１Ａが隠蔽される段階では、バスケット本体１１，１１Ａから装飾部品４１，４１Ａを取り外し、この装飾部品４１，４１Ａを別のハンギングバスケット１に流用可能となる。
【００３９】
なお、本発明は、具体的に詳述した前記実施の形態に限定されることはなく、本発明の趣旨に沿うものであればよい。
【００４０】
例えば、前記実施の形態では、バスケット本体１１を鉄線で形成したが、樹脂でかご状に形成してもよい。その場合、樹脂製バスケット本体の下部が貯水タンクを兼ねるように構成してもよい。
【００４１】
また、前記実施の形態では、貯水タンク１３、装飾部材１６、及び装飾部品４１，４１Ａをポリエチレン樹脂で形成したが、これに限らず適宜の材料が用いられる。
【００４２】
また、前記実施の形態では、容器１４を不織布で形成したが、発泡ウレタン樹脂やヤシマット等で形成してもよいし、樹脂製の植木鉢を用いてもよい。
【産業上の利用可能性】
【００４３】
以上説明したように、本発明によれば、灌水の手間が省け、かつ、土壌を適切な保水状態に維持することができるハンギングバスケットが提供される。すなわち、本発明は、園芸用具の技術分野に広く好適である。
【図面の簡単な説明】
【００４４】
【図１】本発明の実施の形態に係るハンギングバスケットの正面図である。
【図２】図１のＩＩ−ＩＩ線による断面図である。
【図３】バスケット本体の正面図である。
【図４】仕切り部材の斜視図である。
【図５】貯水タンクの斜視図である。
【図６】容器の斜視図である。
【図７】装飾部品の正面図である。
【図８】図７のＩＩＩ−ＩＩＩ線による断面図である。
【図９】別なる構成のバスケット本体に別なる構成の装飾部品を装着した状態を示す正面図である。
【図１０】図９のＩＶ−ＩＶ線による断面図である。
【符号の説明】
【００４５】
１        ハンギングバスケット
１１，１１Ａ    バスケット本体
１２      仕切り部材
１３      貯水タンク
１４      容器
１５      灌水部材
１６      装飾部材
２５      係止部
４１，４１Ａ    装飾部品
Ｂ        土壌
Ｃ        草花
Ｄ        スタンド（支持体）
【図１】
2007252308.tif 000003
【図２】
2007252308.tif 000004
【図３】
2007252308.tif 000005
【図４】
2007252308.tif 000006
【図５】
2007252308.tif 000007
【図６】
2007252308.tif 000008
【図７】
2007252308.tif 000009
【図８】
2007252308.tif 000010
【図９】
2007252308.tif 000011
【図１０】
2007252308.tif 000012